(57)【要約】【課題】  被覆保護用品、ふき取り用品、塗布用品等を供給するための組合せディスペンサーが提供される。【解決手段】  組合せディスペンサーは、フレームとこのフレームによって支持される被覆保護用品ディスペンサーを含む。被覆保護用品ディスペンサーは、身体の一部を被覆保護するに使用するための被覆保護用品を供給するように構成される。ふき取り用品ディスペンサーがフレームによって支持され、このふき取り用品ディスペンサーは、身体を拭くのに使用するためのふき取り用品を供給するように構成される。塗布用品ディスペンサーがフレームによって支持され、この塗布用品ディスペンサーは、身体への適用に使用する塗布用品を供給するように構成される。【選択図】  図１
2009501613.tif 000002
【特許請求の範囲】
【請求項１】
組合せディスペンサーであって、
フレームと、
前記フレームによって支持され、身体の一部を被覆保護するのに使用する被覆保護用品を供給するように構成された被覆保護用品ディスペンサーと、
前記フレームによって支持され、ふき取り用品を供給するように構成されたふき取り用品ディスペンサーと、
前記フレームによって支持され、塗布用品を供給するように構成された塗布用品ディスペンサーとより成ることを特徴とする組合せディスペンサー。
【請求項２】
前記被覆保護用品ディスペンサーが手袋ディスペンサーとして構成されたことを特徴とする請求項１に記載の組合せディスペンサー。
【請求項３】
前記ふき取り用品ディスペンサーがタオルディスペンサーとして構成されたことを特徴とする請求項１又は２に記載の組合せディスペンサー。
【請求項４】
前記塗布用品ディスペンサーがせっけんディスペンサーとして構成されたことを特徴とする請求項1乃至３のいずれかに記載の組合せディスペンサー。
【請求項５】
前記塗布用品ディスペンサーがアルコールジェルディスペンサーとして構成されたことを特徴とする請求項１乃至３のいずれかに記載された組合せディスペンサー。
【請求項６】
前記被覆保護用品ディスペンサーの複数個が前記フレームによって支持され、該複数個の被覆保護用品ディスペンサーが異なる寸法の手袋を供給するように構成されていることを特徴とする請求項１に記載の組合せディスペンサー。
【請求項７】
前記塗布用品ディスペンサーの少なくとも３つが、前記フレームによって支持され、前記塗布用品ディスペンサーの少なくとも１つは、せっけんを供給するように構成され、前記塗布用品ディスペンサーの少なくとも１つは、ジェルを供給するように構成され、前記塗布用品ディスペンサーの少なくとも１つは、外用水薬を供給するように構成されてなることを特徴とする請求項１乃至３のいずれかに記載の組合せディスペンサー。
【請求項８】
前記被覆保護用品ディスペンサーが、おむつを供給するように構成され、前記ふき取り用品ディスペンサーが、赤ん坊用ハンカチタオルを供給するように構成されていることを特徴とする請求項１に記載の組合せディスペンサー。
【請求項９】
前記フレームが、増設ディスペンサーを支持するように構成された増設フレームコンポーネントを組み入れるように構成されたモジュール式であることを特徴とする先行するいずれかの請求項に記載の組合せディスペンサー。
【請求項１０】
前記被覆保護用品ディスペンサーが、前記ふき取り用品ディスペンサーの上方に配置されることを特徴とする先行するいずれかの請求項に記載の組合せディスペンサー。
【請求項１１】
前記被覆保護用品ディスペンサーが、前記ふき取り用品ディスペンサーの側方に配置されることを特徴とする先行するいずれかの請求項に記載の組合せディスペンサー。
【請求項１２】
前記被覆保護用品ディスペンサーが、前記塗布用品ディスペンサーの上方に配置されることを特徴とする先行するいずれかの請求項に記載の組合せディスペンサー。
【請求項１３】
前記被覆保護用品ディスペンサーが、前記塗布用品ディスペンサーの側方に配置されることを特徴とする先行するいずれかの請求項に記載の組合せディスペンサー。
【請求項１４】
前記被覆保護用品ディスペンサーは身体の手を被覆保護するのに使用する複数の手袋を保持するように構成され、
前記ふき取り用品ディスペンサーは身体を拭くのに使用するタオルを保持するように構成され、
塗布用品ディスペンサーは身体への適用に使用する塗布用品を保持するように構成され、
前記被覆保護用品ディスペンサーは、前記タオル及び前記塗布用品の供給の際の使用者による前記手袋の汚染を最小にするように、前記ふき取り用品ディスペンサーと前記塗布用品ディスペンサーに対して配置されることを特徴とする請求項１に記載の組合せディスペンサー。
【請求項１５】
前記被覆保護用品ディスペンサー、前記ふき取り用品ディスペンサー、及び前記塗布用品ディスペンサーが、前記フレームによって直接支持されることを特徴とする先行するいずれかの請求項に記載の組合せディスペンサー。
【請求項１６】
前記被覆保護用品ディスペンサーが、前記ふき取り用品ディスペンサーの前に位置するように、前記被覆保護用品ディスペンサーが前記ふき取り用品ディスペンサーの側方に配置されてなることを特徴とする請求項１１に記載の組合せディスペンサー。
【請求項１７】
少なくとも２つの被覆保護用品ディスペンサーが備えられ、身体の手を被覆保護するに使用するための異なる寸法の手袋を保持するように構成され、前記被覆保護用品ディスペンサーは前記手袋を供給するように構成され、
前記ふき取り用品ディスペンサーは、身体を拭くのに使用するための紙タオルを保持するように構成され、前記ふき取り用品ディスペンサーは前記紙タオルを供給するように構成され、
少なくとも３つの塗布用品ディスペンサーが備えられ、身体への適用に使用するためのせっけん、ジェル、及び外用水薬を保持するように構成され、前記塗布用品ディスペンサーは前記せっけん、前記ジェル、及び前記外用水薬を供給するように構成され、前記塗布用品ディスペンサーは前記フレームによって支持され、
前記被覆保護用品ディスペンサーは、前記少なくとも３つの塗布用品ディスペンサーの上方又は側方に配置されることを特徴とする請求項１に記載の組合せディスペンサー。
【請求項１８】
前記ふき取り用品ディスペンサーは、乾いた不織成ハンカチタオル、予め湿らせた不織成ハンカチタオル、及び綿棒より成るグループから選ばれたふき取り用品を供給するように構成され、
前記塗布用品ディスペンサーは、洗浄化学剤、消毒剤、殺菌剤、及び表面処理薬剤より成るグループから選ばれた塗布用品を供給するように構成されていることを特徴とする請求項１に記載の組合せディスペンサー。
【発明の詳細な説明】
【技術分野】
【０００１】
本発明は、保健医療環境にて使用する用品用のディスペンサーを備えた組合せディスペンサーに関する。
【背景技術】
【０００２】
保健医療環境においては、感染抑制の場での手洗いが重要であると考えられている。特に、保健医療施設内での手洗いは、院内感染の伝播を削減するため採用されている。保健医療ガイドラインは、しばしば、保健医療環境内での作業の際に、手洗いと手袋の着用の両方の実施という厳格な手順を要求する。例えば、或る保健医療ガイドラインは、その後のタオルとの接触ふき取りによって水気をなくされる少なくとも１０秒の間の保健医療関与者の手の丹念なこすり洗いを含む手洗い日課を要求する。さらに、そのようなガイドラインでは、患者の身体流動物との接触の可能性がある場合には、医療用手袋の着用を義務付ける。
【０００３】
保健医療環境内で有用な用品の供給のため、各種のディスペンサーが有効である。例えば、タオルのようなふき取り用品の供給のための用品ディスペンサーが知られている。追加的には、手袋のような被覆保護用品の供給のためのディスペンサーが、また使用されている。さらに、せっけん、ジェル及び外用水薬（ｌｏｔｉｏｎ）の様な塗布用品の供給のためのディスペンサーが、また知られている。これらの型のディスペンサーは、別々のディスペンサーであり、異なる場所から異なる場所への移動が可能であるか、又は、これらのディスペンサーは、手術準備室又はその他の区域内の単一箇所に固定される。
【０００４】
これらの慣用的なディスペンサーは、単一種類の用品の供給用に構成されている。例えば、ディスペンサーは、手のふき取り又は顔の洗浄に使用する紙タオルのようなふき取り用品を供給するように構成することは可能ではあるが、保健医療環境において所望の手袋、せっけん又は追加的用品を供給するようには構成されていない。結果として、各種類の用品の準備のために複数の別個独立のディスペンサーが必要である。このような状況は、１つ以上の別々のディスペンサーが置換されることとなり及び／又は使用者が各種の用品入手のために異なる区域を移動しなければならないことから、好ましくない。さらに、幾つかの別々のディスペンサーは、保健医療環境に混乱をもたらし、それらの移動性及び／又はそれらが離れていることによって保守要員による配置換えや再充填が行なわれない可能性が増す。
【発明の開示】
【課題を解決するための手段】
【０００５】
本発明の各種の特徴及び利点は、部分的には、以下の詳細な説明において明らかにされ、又は、その詳細な説明から自明であり、又は、本発明の実施から習得され得る。
【０００６】
単一箇所から各種類の用品を供給するのに使用するための組合せディスペンサーを提供して、使用者にとっての便利さ、有用性及び適用可能な保健医療ガイドラインへの順応性を増大する。組合せディスペンサーは、例示のためにのみ記述される保健医療分野以外の各種の環境内においての使用が可能である。
【０００７】
一典型実施例において、組合せディスペンサーは、身体の一部を被覆保護するのに使用する用品用のディスペンサーを支持するように構成されたフレームを含む。この組合せディスペンサーは、また、フレームによって支持され且つ身体でのふき取りに使用するふき取り用品を供給するように構成されたふき取り用品ディスペンサーを含む。この組合せディスペンサーにさらに含まれているのは、フレームによって支持され且つ身体に適用される塗布用品を供給するように構成された塗布用品ディスペンサーである。
【０００８】
この組合せディスペンサーの各種の典型実施例は、被覆保護用品ディスペンサーが異なる種類の被覆保護用品を供給するように構成されて上述したように存在する。例えば、被覆保護用品ディスペンサーは、保健医療関与者の手を保護するのに使用する手袋を供給するように構成されることができる。追加的には、異なる寸法の手袋を供給することが可能なように複数の被覆保護用品ディスペンサーを設けて、異なる寸法の手の使用者の適切な保護を確保する。一典型実施例に従い、被覆保護用品ディスペンサーは、それからおむつを供給するように構成されることができる。
【０００９】
組合せディスペンサーの別の典型実施例は、ふき取り用品ディスペンサーがタオルを供給するように構成されて上述のように存在する。追加的には、別の典型実施例は、ふき取り用品ディスペンサーが赤ん坊用ハンカチタオル（ｗｉｐｅｓ）を供給するように構成された、既述の組合せディスペンサーとして存在する。
【００１０】
組合せディスペンサーの典型実施例は、塗布用品ディスペンサーから供給される用品がせっけんの構成にて上述のように存在する。代替的には又は追加的には、組合せディスペンサーの別の典型実施例は、塗布用品がアルコールジェルの構成にて存在する。さらに、組合せディスペンサーの別の典型実施例は、少なくとも３つの塗布用品ディスペンサーがフレームによって支持された構成にて上述のように存在する。その塗布用品ディスペーサーの少なくとも１つはせっけんを供給するように構成され、また、その塗布用品の少なくとも１つはジェルを供給するように構成され、また、その塗布用品の少なくとも１つは外用水薬（ｌｏｔｉｏｎ）を供給するように構成される。
【００１１】
組合せディスペンサーの別の典型実施例は、フレームを、増設ディスペンサーを支持するように構成された増設フレームコンポーネントを組み入れることが可能なモジュール式に構成して上述のように存在する。この実施例は、所望の数又は種類のディスペンサーを含むように組合せディスペンサーを構成することにより、多目的性を備えた組合せディスペンサーを可能とする。追加的には、増設ディスペンサーを支持する増設フレームコンポーネントのモジュール式の機能が、供給用品が空の場合のその取り外しとその後の交換を可能とする。
【００１２】
組合せディスペンサーの典型実施例は、被覆保護用品ディスペンサーがふき取り用品ディスペンサーよりも上方に位置付けられた構成にて上述のように存在する。追加的には又は代替的には、別の典型実施例は、被覆保護用品ディスペンサーがふき取り用品ディスペンサーの側方に位置付けられた構成の上述したような組合せディスペンサーとして存在する。
【００１３】
保健医療環境内にて使用する組合せディスペンサーの典型実施例は、フレームと該フレームによって支持された手袋ディスペンサーを含む構成にて提供される。このフレームは、また、タオルディスペンサーと塗布用品ディスペンサーと組み合わされる。手袋ディスペンサーは、タオルまたは塗布用品の供給の際での使用者による手袋の汚染が最小となるように、タオル用品ディスペンサーと塗布用品ディスペンサーに対する位置を設定する。
【００１４】
組合せディスペンサーの別の典型実施例は、フレームによって直接支持された被覆保護用品ディスペンサー、ふき取り用品ディスペンサー及び塗布用品ディスペンサーを有する構成にて直近に説明のように存在する。
【００１５】
保健医療環境内で使用する組合せディスペンサーの別の典型実施例は、異なる寸法の手袋を供給するように構成された少なくとも２つの被覆保護用品ディスペンサーを支持するフレームを含む構成にて存在する。フレームには、また、ふき取り用品ディスペンサーが支持され、これは、紙タオルを供給するように構成される。追加的には、少なくとも３つの塗布用品ディスペンサーがフレームによって支持され、身体に塗って使用するためのせっけんとジェルと外用水薬を保持し且つ供給するように構成される。この少なくとも３つの塗布用品ディスペンサーの上方又は側方には被覆保護用品ディスペンサーが位置付けられる。
【００１６】
別の典型実施例は、いかなる種類の環境においても使用可能な組合せディスペンサーとして存在する。例えば、フレームと該フレームによって支持された被覆保護用品ディスペンサーを含み、身体の一部を被覆保護するに使用する被覆保護用品を供給するように構成された組合せディスペンサーが提供される。追加的には、この組合せディスペンサーはフレームによって支持され、ふき取り用品を供給するように構成されたふき取り用品ディスペンサーを含む。塗布用品ディスペンサーも設けられ、フレームによって支持され、塗布用品を供給するように構成される。
【００１７】
組合せディスペンサーにおいて、ふき取り用品ディスペンサーが、乾いた不織成ハンカチタオル、予め湿らせた不織成ハンカチタオル、又は綿棒であり得るふき取り用品を供給するように構成された直近にて説明したような追加的典型実施例が存在する。また、塗布用品ディスペンサーは、洗浄化学剤、消毒剤、殺菌剤、又は表面処理薬剤であり得るような塗布用品を供給するように構成することができる。
【００１８】
本発明のこれらの、そして他の特徴、面及び利点は、以下の詳細な説明及び添付請求項を参照してより良く理解される。この明細書に組み合わされ且つその一部をなす添付図面は、詳細な説明と協働しての本発明の実施例の図解であり、本発明の原理の説明として機能する。
【発明を実施するための最良の形態】
【００１９】
添付図面にその具体例が図解された本発明の実施例を詳細に参照する。各具体例は、本発明の説明の手段として提示されるもので、本発明の限定を意味しない。例えば、１つの実施例の一部として図解され又は記述される特徴を他の実施例に用いてさらに第３の実施例を生ずることが可能である。本発明は、それらの及び他の改良及び変更を含むことも企図している。
【００２０】
この明細書にて述べる範囲は先行して述べる範囲内に存在する全ての範囲を含むことを理解されるべきである。すなわち、この明細書にて述べる全ての範囲は、述べられた範囲内に含まれる全ての下位範囲を含む。例えば、１００−２００からの範囲は、また、１１０−１５０、１７０−１９０及び１５３−１６２からの範囲を含む。さらに、この明細書に述べる全ての限定は、その述べられた限定内に含まれる全ての他の限定を含む。例えば、約７までの限定は、また、約５までの限定、約３までの限定、及び約４．５までの限定を含む。
【００２１】
集中配備箇所から各種用品の供給を可能とする組合せディスペンサー１０が設けられる。組合せディスペンサー１０は、保健医療関与者が保健医療ガイドラインに従うことを可能とする各種類の用品を供給するように構成された、被覆保護用品ディスペンサー１４、ふき取り用品ディスペンサー１６、及び塗布用品ディスペンサー１８のような複数の用品ディスペンサーを含む。組合せディスペンサー１０は、単一箇所からの手袋、タオル、せっけん、ジェル及び／又は外用水薬のような用品供給用に構成されており、これにより、１以上の用品ディスペンサーを入れ替える機会をなくし、異なる箇所にある各種用品に到達するための保健医療関与者の移動を最小とする。さらに、組合せディスペンサー１０は、保健医療施設内の混乱を減らすように機能し、また各種用品の集中配備により保守要員による作業能率を向上する。組合せディスペンサー１０は、交替介護サイト、ナーシングホーム、及び／又は手術センターのような他の環境内にて使用するための異なる種類の用品を備えるように構成されることが可能である。さらに、組合せディスペンサー１０から供給されるよう選択される用品は、いかなる種類の環境の必要にも適合するように選ばれることが可能である。例えば、小さな子供の面倒を見る、デイケア、保育園、周産期集中治療室（ＰＩＣＵ）、及び／又は新生児集中治療室（ＮＩＣＵ）のような環境内において組合せディスペンサー１０の利用が所望される場合には、おむつ、赤ん坊用ハンカチタオル（ｗｉｐｅｓ）、及び／又は外用水薬（ｌｏｔｉｏｎ）を供給することが可能である。
【００２２】
図１は、用品ディスペンサー１４、１６及び１８がフレーム１２によって支持されて組合せディスペンサー１０を形成し、これから用品が供給され得る集中配備を提供する該組合せディスペンサー１０の典型実施例を示す。
【００２３】
組合せディスペンサー１０内に含まれる塗布用品ディスペンサー１８は、身体への適用に使用するための如何なる種類の塗布用品２４をも供給するように構成されることができる。例えば、図１に示すように、３つの塗布用品ディスペンサー１８Ａ、１８Ｂ、及び１８Ｃが設けられる。塗布用品ディスペンサー１８Ａは、せっけんである塗布用品２４Ａの供給用に構成される。追加的には、塗布用品ディスペンサー１８Ｂは、ジェルである塗布用品２４Ｂの供給用に構成される。最後に、塗布用品ディスペンサー１８Ｃは、外用水薬である塗布用品２４Ｃの供給用に構成される。塗布用品２４Ａ−２４Ｃは、塗布用品ディスペンサー１８Ａ−１８Ｃ内の各々の貯蔵器内に収容されており、ボタンの手動操作によって塗布用品ディスペンサー１８Ａ−１８Ｃの底から供給される。他の典型実施例によれば塗布用品ディスペンサー１８Ａ−１８Ｃは、フレーム１２によって個別に支持された別個のユニットとし得ることが理解されるが、これらの塗布用品ディスペンサー１８Ａ−１８Ｃは、一体的なユニットとして設けることも可能である。塗布用品ディスペンサー１８Ａ−１８Ｃは、当業者に広く知られた慣用的なディスペンサーのいずれか１つ又はそれらの組合せとすることが可能である。図１に示す形態は、例示のみであり、他の実施例が可能であることを理解されるべきである。例えば、塗布用品ディスペンサー１８Ａ−１８Ｃの下方に使用者の手を感知したならば自動的に塗布用品２４Ａ−２４Ｃを供給するように塗布用品ディスペンサー１８Ａ−１８Ｃを構成することが可能である。
【００２４】
適切ないずれの保健医療ガイドラインにも適合して保健医療関与者がその手の洗浄を行なうように、せっけん２４Ａが保健医療関与者によって使用可能である。水源での水不足によってせっけんによる洗浄を差し控えなければならない場合には、保健医療関与者の手の洗浄を目的としてジェル２４Ｂの保健医療関与者による使用が可能である。頻繁に繰り返される手の洗浄による保健医療関与者の手の脂肪分の脱脂の結果である皮膚炎の発生を抑えることを目的として保健医療関与者がその手の洗浄に使用することが望ましい一典型実施例によりジェル２４Ｂはアルコールジェルとすることが可能である。しかしながら、いかなる種類のジェル２４Ｂも各種典型実施例に従い使用可能であることを理解されるべきである。外用水薬２４Ｃは、皮膚の乾燥及びひび割れ防止促進のための加湿剤として作用するように、保健医療関与者の皮膚又は患者の皮膚に供給され適用されることができる。この典型実施例では、塗布用品２４Ａ−２４Ｃは、せっけん２４Ａ、ジェル２４Ｂ、外用水薬２４Ｃとして示されているが、他の典型実施例に従い、塗布用品２４は、いずれの種類の用品も身体に適用可能であることを理解されるべきである。
【００２５】
図１の組合せディスペンサー１０は、また、フレーム１２によって支持され、身体を拭くのに使用するためのいずれかの種類のふき取り用品２２の供給用に構成されたふき取り用品ディスペンサー１６を含む。図１に示すように、ふき取り用品ディスペンサー１６内に収納されるふき取り用品２２は、適切な保健医療ガイドラインによる手洗い日課の際に保健医療関与者の手の洗浄及び水分除去に使用されるタオル２２Ａとすることができる。タオル２２Ａは、ふき取り用品ディスペンサー１６内に積み重ねられた配置にて収納されることができ、また、１つずつ折り畳まれた状態で配置されることができる。タオル２２Ａは、使用者が先行するタオル２２Ａをつかんで引くことによってこの先行するタオル２２Ａをふき取り用品ディスペンサー１６から取り出し且つ次のタオル２２Ａを後続の取り出しのために露出せしめるように、ふき取り用品ディスペンサー１６の底から取り出すことができる。適当なふき取り用品ディスペンサー１６のいくつかの構造が当業者に知られており、ふき取り用品ディスペンサー１６のいずれの形態も各種の典型実施例に従って採用可能であることを理解されるべきである。例えば、ふき取り用品ディスペンサー１６は、使用者の手の存在を感知して、タオル２２Ａの自動供給を生起するセンサーを含むように構成されることができる。
【００２６】
ふき取り用品ディスペンサー１６から供給され得るふき取り用品２２は、身体を拭くのに使用するいかなる種類の用品でも選択されることができる。例えば、ふき取り用品２２は、他の典型実施例に従う、トイレットペーパー、顔用ティッシュ、又は布タオルとすることが可能である。
【００２７】
使用者の手の洗浄及び乾燥の後に、保健医療ガイドラインは、患者の身体の流動物との接触の可能性のある保健医療関与者による医療用手袋の使用を要求する。組合せディスペンサー１０は、被覆保護用品２０の供給のための被覆保護用品ディスペンサー１４を含む。図示のように、３つの異なる寸法の手袋である３つの異なる種類の被覆保護用品２０Ａ、２０Ｂ、及び２０Ｃの供給用に３つの被覆保護用品ディスペンサー１４Ａ、１４Ｂ、及び１４Ｃが設けられることができる。３つの異なる寸法の医療用手袋２０Ａ−２０Ｃを設けることによって、組合せディスペンサー１０は、各種の手の寸法を有する使用者に使用される多用性を可能とする。
【００２８】
手袋２０Ａ−２０Ｃは、いずれかの広く知られた構造に従い被覆保護用品ディスペンサー１４Ａ−１４Ｃ内に収納され且つ供給され得る。例えば、手袋２０Ａ−２０Ｃは、使用者が先行する手袋２０Ａ−２０Ｃを取り出すとともにそれに続いて使用する次の手袋が露出するように、被覆保護用品ディスペンサー１４Ａ−１４Ｃ内において折り畳まれることが可能である。追加的には、左手用と右手用の両手袋２０Ａ−２０Ｃの被覆保護用品ディスペンサー１４Ａ−１４Ｃ内への折り畳み収納が可能であり、これにより、使用者は右手用と左手用の両手袋２０Ａ−２０Ｃを同時に取り出す。追加的には、手袋２０Ａ−２０Ｃは、各手袋が右及び左の両方の手に合う両用手袋とすることが可能である。ふき取り用品ディスペンサー１６及び塗布用品ディスペンサー１８と同様に、被覆保護用品ディスペンサー１４は、当業者に広く知られたいずれかの方法に従い被覆保護用品２０の供給のために各様に構成されることができる。図１に示す配置は、被覆保護用品２０Ａ−２０Ｃが被覆保護用品ディスペンサー１４Ａ−１４Ｃからどのように供給されるかのまさに１例である。
【００２９】
図１の典型実施例は３つの被覆保護用品ディスペンサー１４Ａ−１４Ｃ、１つのふき取り用品ディスペンサー１６、及び３つの塗布用品ディスペンサー１８Ａ−１８Ｃの存在を示すが、他の典型実施例に従い、いずれかの数の各種ディスペンサー１４、１６、及び１８が存在し得ることを理解されるべきである。例えば、３つ乃至５つの被覆保護用品ディスペンサー１４、１つ乃至３つのふき取り用品ディスペンサー１６、及び４つないし７つの塗布用品ディスペンサー１８が、一典型実施例に従い存在し得る。さらに、５つまでの被覆保護用品ディスペンサー１４、ふき取り用品ディスペンサー１６、及び塗布用品ディスペンサー１８が、他の典型実施例に従い存在し得る。そのように、組合せディスペンサー１０が１以上の各種ディスペンサー１４，１６、及び１８を含むことが可能な各種の典型実施例が提示される。
【００３０】
各ディスペンサー１４、１６及び１８は、単一種類の用品２０，２２及び２４を供給するように構成されるが、ディスペンサー１４、１６及び１８が異なる種類の用品２０、２２及び２４を供給するように構成可能な他の典型実施例が存在することを理解されるべきである。例えば、ふき取り用品２２と塗布用品２４の両者の供給が可能なディスペンサーを設けることができる。代替的には、組合せディスペンサー１０が、被覆保護用品２０とふき取り用品２２の両者を供給するように構成されたディスペンサーを含む別の典型実施例が存在可能である。
【００３１】
典型的には、使用者は、被覆保護用品２０Ａ−２０Ｃ又はふき取り用品２２のいずれかの前に、塗布用品２４Ａ−２４Ｃの取り出しを行なう。組合せディスペンサー１０は、塗布用品２４Ａ−２４Ｃ及び／又はふき取り用品２２に対する汚染を最小とするように配置されることができる。例えば、図1は、ふき取り用品ディスペンサー１６と３つの塗布用品ディスペンサー１８Ａ−１８Ｃ両方の上方に配置された３つの被覆保護用品ディスペンサー１４Ａ−１４Ｃを示す。この様式において、使用者の手からの汚染は、使用者が塗布用品２４Ａ−２４Ｃを被覆保護用品１４Ａ−１４Ｃ下方の箇所から取り出すことから、被覆保護用品ディスペンサー１４Ａ−１４Ｃの内部への及びそれに続く被覆保護用品２０Ａ−２０Ｃへの伝播を生じないように防止することができる。これは、使用者の手からの汚染物が、塗布用品２４Ａ−２４Ｃの取り出しの際に落下して被覆保護用品２４Ａ−２４Ｃの汚染を生ずるような場合である。
【００３２】
ふき取り用品ディスペンサー１６は、塗布用品ディスペンサー１８Ａ−１８Ｃの側方に配置されることができる。この配置は、また、塗布用品ディスペンサー１８Ａ−１８Ｃを使用するとき使用者の手がふき取り用品ディスペンサー１６の側方に位置することとなるので、ふき取り用品２２に対する汚染の最小化を促進する。また、ふき取り用品１６が塗布用品ディスペンサー１８Ａ−１８Ｃの下方に配置された場合には、汚染物が用品取り出しの際に落下し続いてふき取り用品２２に接触して汚染するので、塗布用品ディスペンサー１８Ａ−１８Ｃからの用品取り出しが、使用者の手からふき取り用品２２への汚染の伝播を結果する潜在的可能性がある。
【００３３】
組合せディスペンサー１０の図1の配置は、また、ふき取り用品ディスペンサー１６から使用者が用品取り出しを行なう際の使用者の手に付着する汚染物の被覆保護用品２０Ａ−２０Ｃへの伝播を防止するに有効である。ふき取り用品２２は被覆保護用品２０Ａ−２０Ｃの下方に配置されるので、ふき取り用品２２の取り出しの際の被覆保護用品２０Ａ−２０Ｃとの接触は回避することができる。再述するに、ふき取り用品ディスペンサー１６が被覆保護用品ディスペンサー１４Ａ−１４Ｃの上方に配置された場合には、ふき取り用品の取り出しの際に使用者の手から汚染物が落下し、続いて、被覆保護用品ディスペンサー１４Ａ−１４Ｃの内部及び／又は被覆保護用品２０Ａ−２０Ｃを汚染する。典型的には、使用者は、塗布用品ディスペンサー１８からの取り出しを行い、次にふき取り用品ディスペンサー１６からの取り出しを行い、最後に被覆保護用品ディスペンサー１４からの取り出しを行なう。被覆保護用品ディスペンサー１４をふき取り用品ディスペンサー１６と塗布用品ディスペンサー１８の上方に配置することにより、被覆保護用品ディスペンサー１４Ａ−１４Ｃと被覆保護用品２０Ａ−２０Ｃに対する汚染は回避することができる。
【００３４】
組合せディスペンサー１０は、用品の保管のためではなく、用品の供給のみのために構成されたディスペンサー１４，１６及び１８を含むように構成することができる。この様式では、組合せディスペンサー１０は、使用された用品の保管スペースは存在しないように設けられる。このように構成することにより、組合せディスペンサー１０内で、使用されたタオル、手袋及びおむつのような潜在的汚染用品の用品２０、２２及び２４への近接が防止され、したがって用品２０，２２及び２４への汚染の危険性は最小に抑えられる。しかしながら、或る典型実施例に従い、保健医療環境内において、組合せディスペンサー１０からの使用された用品又は他の用品の供与のための保管スペースを備えた組合せディスペンサー１０を設けることが可能である。
【００３５】
用品ディスペンサー１４，１６及び１８は、いずれかの適合する様式により組合せディスペンサー１０のフレーム１２によって支持されることができる。すなわち、フレーム１２によって用品ディスペンサー１４、１６及び１８を支持するための各種の機構が存在しており、説明された機構は、単なる例示であることを理解されるべきである。図1は、フレーム１２に対して被覆保護用品ディスペンサー１４Ａ−１４Ｃを保持するためのブラケット３０を示す。被覆保護用品ディスペンサー１４Ａ−１４Ｃがそこを通って摺動し図１に示されるように配置されるように、ブラケット３０は一端部で又は複数の端部で開くことが可能である。被覆保護用品ディスペンサー１４Ａ−１４Ｃのその中での保持を確保するべく壁材（図示しない）をブラケット３０の一端部又は複数の端部上の所定位置へと摺動させることができる。一又は複数の被覆保護用品ディスペンサー１４Ａ−１４Ｃ内の被覆保護用品２０Ａ−２０Ｃを使い切ったならば、ディスペンサー１４Ａ−１４Ｃをブラケット３０から摺動して取り出し、組合せディスペンサー１０の継続使用のために新しいディスペンサー１４Ａ−１４Ｃと交換することができる。
【００３６】
図1のフレーム１２は、金属プレートとして設けられる。ふき取り用品ディスペンサー１６をフレーム１２に取り付けるためにアタッチメント３２が設けられる。追加的には、アタッチメント３４が、塗布用品ディスペンサー１８Ａ−１８Ｃをフレーム１２に取り付けるのに使用するために設けられる。アタッチメント３２及び３４は、当業者に広く知られたいずれかの種類とすることが可能である。例えば、アタッチメント３２及び３４は、フック・ループ型ファスナー、ブラケット、及び／又は、嵌合接続によって実施可能である。すなわち、組合せディスペンサー１０は、ディスペンサー１４、１６及び１８がフレーム１２によって支持され得る各種の機構を含む。追加的には、ディスペンサー１４、１６及び１８はフレーム１２によって取り外し可能に支持されることができ、または、ディスペンサー１４、１６及び１８はフレーム１２によって永続的に支持されることができる。追加的には、他の典型実施例にしたがって各種の組合せが実現されることができる。例えば、１つの典型実施例にしたがい、ふき取り用品ディスペンサー１６と塗布用品ディスペンサー１８はフレーム１２によって永続的に支持され、これに対し、被覆保護用品ディスペンサー１４はフレーム１２によって取り外し可能に支持されることが可能である。
【００３７】
組合せディスペンサー１０は、壁又は他の保健医療環境内に配置される支持構造物に組合せディスペンサー１０を取り付けるのに使用するための壁アタッチメント３６を備えることができる。それで、組合せディスペンサー１０は、使用者にとって都合の良い高さで壁上に位置付けられることができる。壁アタッチメント３６は、組合せディスペンサー１０と壁の間での取り付けの実施が可能ないずれの形式でも可能である。例えば、壁アタッチメント３６は、ボルト又は他の壁からの突出材を受け入れるソケット状材とすることが可能である。さらに、壁アタッチメント３６は、一対のブラケットであって、該ブラケットを貫通してネジ、ボルト又は釘のような機械式締結具を壁又は他の表面に押し込み、これにより組合せディスペンサー１０をその位置に保持する一対のブラケットとすることができる。
【００３８】
図２は、ふき取り用品ディスペンサー１６が塗布用品ディスペンサー１８と被覆保護用品ディスペンサー１４Ａ−１４Ｃの側方に配置された組合せディスペンサー１０の代替的典型実施例を示す。また、被覆保護用品ディスペンサー１４Ａ−１４Ｃの汚染を最小にするため、被覆保護用品ディスペンサー１４Ａ−１４Ｃは、塗布用品ディスペンサー１８の上方に配置される。しかしながら、この例では、ふき取り用品ディスペンサー１６は、被覆保護用品ディスペンサー１４Ａ−１４Ｃの側方に配置される。この構造は、ディスペンサー１４及び１６が相互に側方に配置されるので、ふき取り用品ディスペンサー２２と被覆保護用品ディスペンサー２０Ａ−２０Ｃへの又はからの汚染の削減をまた促進する。さらに、ふき取り用品ディスペンサー１６の実際の供給位置は被覆保護用品ディスペンサー１４Ａ−１４Ｃの下方に配置されており、ふき取り用品２２の供給及び被覆保護用品２０Ａ−２０Ｃの汚染の際の落下による汚染が防止される。
【００３９】
図２に示される典型実施例では、被覆保護用品ディスペンサー１４Ａ−１４Ｃが、また、３つの異なる寸法の手袋２０Ａ−２０Ｃを供給するように構成される。塗布用品２４は、せっけん又はぬれナプキン（ｍｏｉｓｔ  ｔｏｗｅｌｅｔｓ）とすることが可能である。フレーム１２は、塗布用品ディスペンサー１８と３つの被覆保護用品ディスペンサー１４Ａ−１４Ｃの両者を支持するように構成されたブラケット４０を含む。ディスペンサー１４Ａ−１４Ｃと１８は、塗布用品ディスペンサー１８が最も低い箇所に位置付けられるように上端にて相互に積み重ねられる。ブラケット４０には塗布用品ディスペンサー１８から塗布用品２４を取り出す供給用開口を提供するために底部開口４２が形成される。被覆保護ディスペンサー１４Ａ−１４Ｃは、ブラケット４０に形成された供給用開口に整合する供給用開口を有するように構成される。それで、組合せディスペンサー１０の使用者は、組合せディスペンサー１０の前側から被覆保護用品２０Ａ−２０Ｃを取り出すことができ、また、組合せディスペンサー１０の使用者は、塗布用品２４をその底部から取り出すことができる。
【００４０】
ふき取り用品２２は、ふき取り用品ディスペンサー１６内にて折り畳まれた状態で積み重ねられた複数の紙タオルとすることができる。ふき取り用品ディスペンサー１６及び関連するタオル２２のそのような典型実施例が、２００１年６月５日付けにてトラモンティナに発行された米国特許第６，２４１，１１８号に見ることができ、その目的の全体において、引用としてこの明細書に加えられる。この形式のふき取り用品ディスペンサー１６では、フレーム１２上に複数個の突出部３８が形成されており、これらの突出部はふき取り用品ディスペンサー１６の各種開口に受け入れられるように構成されており、これにより、内蔵されたふき取り用品２２の積み重ね束と係合してこれを保持する。ふき取り用品ディスペンサー１６は、当業者に広く知られたいずれかの取り付け装置を介してフレーム１２により支持されることができる。例えば、フレーム１２は、ふき取り用品ディスペンサー１６がその中に圧っし嵌めされることによりフレーム１２上に保持される捕捉空所を形成するように構成されることができる。追加的に又は代替的に、フレーム１２上の突出部３８は、また、ふき取り用品ディスペンサー１６を保持するように機能して、ふき取り用品ディスペンサー１６のフレーム１２上での保持を生起することができる。
【００４１】
図３は、被覆保護用品ディスペンサー１４Ａ−１４Ｃがまた、ディスペンサー１４Ａ−１４Ｃ及び塗布用品ディスペンサー１８への及びからの汚染を最小にするように位置付けられている組合せディスペンサー１０の代替的典型実施例を示す。この点に関して、被覆保護用品ディスペンサー１４Ａ−１４Ｃは、塗布用品ディスペンサー１８の側方に配置される。同様に、塗布用品ディスペンサー１８の取り出し位置は、被覆保護用品ディスペンサー１４Ａ−１４Ｃの取り出し位置の下方に配置され、これにより、ディスペンサー１８より使用者が塗布用品２４を取り出す際の、被覆保護用品１４Ａ−１４Ｃ及び関連する被覆保護用品２０Ａ−２０Ｃへの汚染伝播の機会をさらに最小にする。
【００４２】
図３に示される典型実施例において、被覆保護用品ディスペンサー１４Ａ−１４Ｃは、異なる寸法及び異なる形状の手袋２０Ａ−２０Ｃを供給するように構成される。小さい寸法の手袋２０Ａは、ブラケット４４に支持された被覆保護用品ディスペンサー１４Ａによって供給される。同様に、被覆保護用品ディスペンサー１４Ｃから供給される大きな寸法の手袋２０Ｃは、また、ブラケット４４によって保持される。ブラケット４４は、一端部又は複数の端部で開いており、その上で被覆保護用品ディスペンサー１４Ａと１４Ｃが摺動する。結果的には、当業者に広く知られたいずれかの手段により、被覆保護用品ディスペンサー１４Ａと１４Ｃのブラケット４４からの滑り外れの防止が可能である。
【００４３】
ブラケット４４の下方にはブラケット４６が設けられ、このブラケット４６は、手袋２０Ｂを供給するように同様に構成された被覆保護用品ディスペンサー１４Ｂを保持するように構成される。手袋２０Ｂは、中間の寸法の手袋とすることができ、組合せディスペンサー１０の使用者が典型的に中間の寸法の手袋２０Ｂをより多く必要とする場合ではより多い数で設けることが可能である。他の典型実施例では手袋２０Ａ−２０Ｃは全て同一の形状であるが、手袋２０Ｂの形状を手袋２０Ａ及び２０Ｃの形状とは異なるものにすることが可能である。一典型実施例では、手袋２０Ｂは、粉のつかない織地ラテックス試験手袋とすることが可能である。また、ブラケット４６は、一端部又は両端部を閉鎖可能に構成して、その上での被覆保護用品１４Ｂの保持を確保することが可能である。代替的には、ブラケット４６は、一端部又は複数の端部が開いている構成も可能である。
【００４４】
塗布用品ディスペンサー１８はせっけん２４を保持するように構成される。せっけん２４は、図１の典型実施例に関連して既述したと同様の塗布用品ディスペンサー１８から供給される。ふき取り用品２２は、塗布用品ディスペンサー１８の側方に配置され、使用者が塗布用品ディスペンサー１８よりせっけん２４を取り出す際のふき取り用品２２の汚染の機会を最小にする。また、ふき取り用品２２が塗布用品ディスペンサー１８の下に配置された場合には、使用者の手の汚染物が落下して、したがって続いてふき取り用品２２に伝播してふき取り用品２２を汚染する。
【００４５】
図３に示されるふき取り用品２２は、広く知られた配置でふき取り用品ディスペンサー１６によって保持されたコアペーパータオル（ｃｏｒｅｄ  ｐａｐｅｒ  ｔｏｗｅｌｓ）のロールである。他の典型実施例にしたがい、タオル２２は、供給用のコアのないロールに構成されることができる。ふき取り用品ディスペンサー１６及びふき取り用品２２配置の異なる形状の各種の例が、２００２年３月２６日付けフェルプス等に発行された米国特許第６３６０８８５号に示され且つ記述されており、これは全目的の完全性において本明細書に引用として加えられる。タオル２２は、手袋２０Ａ−２０Ｃの下方に配置されており、使用者がタオル２２の１つを取り出した際の使用者の手にある汚染物の手袋２０Ａ−２０Ｃへの伝播の機会を最小にする。
【００４６】
図３のフレーム１２は、その前面上に被覆保護用品ディスペンサー１４Ａ−１４Ｃを保持する寸法の金属板材とすることができる。塗布用品ディスペンサー１８は、アタッチメント３４によりフレーム１２の側方に取り付けられることが可能である。ふき取り用品ディスペンサー１６は、アタッチメンサ３２によりフレーム１２の底部への取り付けが可能であり、したがって、塗布用品ディスペンサー１８とふき取り用品ディスペンサー１６の両方がフレーム１２によって支持される。フレーム１２は、アルミニウム又はスチールのような金属材よりの製作が可能であり、又は、フレーム１２は、各種の典型実施例に従い薄板材又はプラスチック材よりの作出が可能である。
【００４７】
図４は、組合せディスペンサー１０の別の代替的典型実施例を示す。また、フレーム１２は、全体的に平坦な板材を含み、その一側表面に配置されたディスペンサー１４、１６及び１８を有する。図４の組合せディスペンサーには単一のふき取り用品ディスペンサー１６が存在し、該ディスペンサーは、アタッチメント３２によってフレーム１２上に取り付けられ、フレームによって支持される。各種寸法の手袋２０Ａ−２０Ｃを供給するように構成された３つの被覆保護用品ディスペンサー１４Ａ−１４Ｃがまた存在し、ふき取り用品ディスペンサー１６の側方に配置される。被覆保護用品ディスペンサー１４Ａ−１４Ｃの各々は、別々のアタッチメント４８によってフレーム１２に個別に取り付けられる。また、フレーム１２に個別に取り付けられるのは複数の塗布用品ディスペンサー１８Ａ−１８Ｃであり、別々のアタッチメント３４を介する取り付けによってフレーム１２によって支持される。塗布用品ディスペンサー１８Ａ−１８Ｃは、せっけん２４Ａ、ジェル２４Ｂ及び外用水薬２４Ｃを供給するように構成される。塗布用品ディスペンサー１８Ａ−１８Ｃは、被覆保護用品ディスペンサー１４Ａ−１４Ｃの下方に配置され且つふき取り用品ディスペンサー１６の側方に配置され、したがってタオル２２及び手袋２０Ａ−２０Ｃに対する汚染を最小にする。ディスペンサー１４、１６及び１８は、フレーム１２に個別に取り付けられ、したがって、その中に収納されている用品が空になったならば、そこから取り外して新しいディスペンサー１４、１６又は１８と交換されることができる。
【００４８】
図５は、組合せディスペンサー１０がアタッチメント３６の手段を介して水平表面に取り付けられるように構成された組合せディスペンサー１０の別の代替的典型実施例を示す。フレーム１２は、各種の様式で組立てることができる。最初に平坦形状として既述したが、フレーム１２は、各種の典型実施例に従い矩形、球形、円形、又は三角の形状となるように構成されることが可能である。フレーム１２は、ディスペンサー１４、１６および１８を支持するために構成された構造であり、特定の形式、材料、形状に限定されないことを理解されるべきである。図５に示すように、フレーム１２は、Ｔ形状の配置に組み合わされた上方フレーム区画５０と下方フレーム区画５２を含む。３つの被覆保護用品ディスペンサー１４Ａ−１４Ｃがまた設けられ、手袋２０Ａ−２０Ｃを供給するように構成される。被覆保護用品ディスペンサー１４Ａ−１４Ｃは、アタッチメント４８を介して下方フレーム区画５２上に支持される。被覆保護用品ディスペンサー１４Ａ−１４Ｃが設けられる下方フレーム区画５２の同じ側には、せっけん２４Ａ、ジェル２４Ｂ、外用水薬２４Ｃを供給するように構成された３つの塗布用品ディスペンサー１８Ａ−１８Ｃがアタッチメント３４を介して含まれる。また、被覆保護用品ディスペンサー１４Ａ−１４Ｃは、塗布用品ディスペンサー１８Ａ−１８Ｃ上方に配置される。
【００４９】
タオル２２を供給するためのふき取り用品ディスペンサー１６が、下方フレーム区画５２の逆の側に配置される。また、ふき取り用品ディスペンサー１６は、それらの間での汚染の機会を最小にするために塗布用品ディスペンサー１８Ａ−１８Ｃの側方に配置される。この例では、ふき取り用品ディスペンサー１６は、塗布用品ディスペンサー１８Ａ−１８Ｃの後ろとなるように位置付けられる。
【００５０】
組合せディスペンサー１０の別の典型実施例が図６に示されており、この例では、フレーム１２が、壁又はその他の面に対して「側面」取付されるように構成されている。ふき取り用品ディスペンサー１６は、アタッチメント３２を介してフレーム１２に直接取り付けられる。被覆保護用品１４Ａ−１４Ｃと塗布用品ディスペンサー１８は、フレーム１２に非直接的に取り付けられる。この例では、被覆保護用品ディスペンサー１４Ａ−１４Ｃは、ディスペンサーアタッチメント５４を介してふき取り用品ディスペンサー１６に取り付けられる。追加的には、塗布用品ディスペンサー１８とふき取り用品ディスペンサー１６との間での取り付け実施のためにディスペンサーアタッチメント５６が設けられる。この様式にて、被覆保護用品ディスペンサー１４Ａ−１４Ｃ及び塗布用品ディスペンサー１８はフレーム１２により支持されており、これらのコンポーネントはフレーム１２によって非直接的に支持される。対照的に、ふき取り用品ディスペンサー１６は、アタッチメント３２によるこれら２つのコンポーネントの直接取り付けによってフレーム１２によって直接支持される。
【００５１】
また、塗布用品ディスペンサー１８は、被覆保護用品ディスペンサー１４Ａ−１４Ｃの下方で且つふき取り用品ディスペンサー１６の側方に配置されることができる。特定的には、塗布用品ディスペンサー１８は、ふき取り用品ディスペンサー１６の前方に配置される。塗布用品ディスペンサー１８は、図６の典型実施例に従いせっけん又は又はぬれナプキン（ｔｏｗｅｌｅｔｓ）を供給するように構成することができる。
【００５２】
図7は、単一の被覆保護用品ディスペンサー１４とふき取り用品ディスペンサー１６と塗布用品ディスペンサー１８のみを含む組合せディスペンサー１０の典型実施例を示す。被覆保護用品ディスペンサー１４は手袋２０を供給するように構成され、タオル２２とせっけん２４は他のディスペンサー１６と１８から供給される。手袋２０とタオル２２とせっけん２４の取り出し箇所は相互に側方に配置され、これにより、これらの間での汚染の機会を最小にする。
【００５３】
図7の組合せディスペンサー１０のフレーム１２は、組合せディスペンサー１０にモジュール式の特性を与える増設構造を含む。増設フレームコンポーネント２６を設けることが可能であり、この増設フレームコンポーネントはフレームに支持されることが可能であり、これにより、組合せディスペンサー１０の機能性を向上する。この例では、増設フレームコンポーネント２６は、保健医療環境において有用であり得る異なる種類のせっけんのような用品を供給するように構成された増設ディスペンサー２８を含む。一対の機械式アタッチメント５８が含まれており、これにより、増設フレームコンポーネント２６のフレーム１２への係合及びその後のフレーム上での確実な保持を可能とする。アタッチメント５８は、フレーム１２の凹部内に受容される増設フレームコンポーネント２６から延在する突出部を有するように構成される。一対の回転継手（ｓｗｉｖｅｌｓ）は、揺動し且つ増設フレームコンポーネント２６をフレーム１２に保持するように所定位置に固定されることができる。推測可能なように、各種所望用途用の組合せディスペンサー１０に適合するように異なるディスペンサーがそれに配置される又は配置されない各種コンポーネントを組み入れる又は分離することが可能なようにフレーム１２を設けることが可能である。追加的には、ディスペンサーの１つが用品使用不能になった場合又は用品空になった場合には、モジュラー方式の組合せディスペンサーが望ましい。この例では、増設フレームコンポーネント２６はフレーム１２から分離されて廃棄されることができ、一方、所望ならば、新しい増設フレームコンポーネント２６がフレーム１２に取り付けられることができる。
【産業上の利用可能性】
【００５４】
保健医療環境内で使用したものとして説明を行なったが、組合せディスペンサー１０は、他の状況にも適合し得るように構成されることができる。例えば、組合せディスペンサー１０は、工業用手袋と比較的粗いせっけんが供給され得る業種環境内において有用なように改変することができる。組合せディスペンサー１０は、製造業、食品取扱業、及び自動車ビジネスにおける表面洗浄又は他の表面処理のために使用することが可能である。ふき取り用品２２は、各種典型実施例に従い乾いた又は予め湿らせた不織成ハンカチタオル及び／又は綿棒とすることが可能である。追加的には、供給され得る塗布用品２４は、洗浄化学剤、消毒剤、殺菌剤及びその他の表面処理薬剤とすることが可能である。したがって、組合せディスペンサー１０は、いかなる種類の環境の適用においても使用されることができる。
【００５５】
被覆保護用品２０は、身体の一部を被覆保護するのに使用するいずれの種類の被覆保護用品とすることも可能である。例のためとして保健医療環境にて使用される用品に関して説明されたが、他の環境内にて有用な他の被覆保護用品２０も可能であることを理解されるべきである。組合せディスペンサー１０から供給され得る被覆保護用品２０の代表的例は、医療手袋、おむつ、工業用手袋、成人用失禁用品、整理用ナプキン、コンドーム又は他の予防薬、掛け布、ガウン、及び／又は顔面マスクを含む。前述したリストは、組合せディスペンサー２０に含まれ得る被覆保護用品２０の代表的例示にすぎず、包括的な列挙ではないことを理解されるべきである。
【００５６】
同様に、保健医療環境以外の環境において有用なように各種のふき取り用品２２が供給され且つ選択されることができる。ふき取り用品２２の代表的例は、紙タオル、布製タオル、トイレットティッシュ、顔用ティッシュ、赤ん坊用ハンカチタオル、ナプキン、スポンジ、及び／又はフォームパッドを含む。また、前述のリストは、ふき取り用品２２の例を提示しており、他の典型実施例に従いふき取り用品２２の他の特定種類が存在することを理解されるべきである。
【００５７】
各種の典型実施例に従い採用し得る塗布用品２４は、液状せっけん、粒状せっけん、アルコールジェルのようなジェル、外用水薬、ぬれナプキン、授精子剤クリーム又は他の予防薬、化粧品、光沢剤、医薬及び／又はシャンプーを含む。前述のリストは、塗布用品２４の特定例の代表にすぎず、他の典型実施例には他の種類の塗布用品２４が存在することを理解されるべきである。
【００５８】
或る好実施例に関連して本発明の説明を行なったが、本発明の様式にて含まれる主題はこれらの特定実施例に限定されないことを理解されるべきである。逆に、本発明の主題は、添付特許請求の範囲の思想及び範囲内に含まれることが可能な全ての変更、改変及び均等を含むことを企図している
【図面の簡単な説明】
【００５９】
【図１】タオル、せっけん、ジェル、外用水薬及び異なる寸法の手袋を供給するように構成された一典型実施例による組合せディスペンサーの正面図である。
【図２】代替的典型実施例による組合せディスペンサーの正面図である。
【図３】別の代替的典型実施例による組合せディスペンサーの正面図である。
【図４】さらに別の代替的典型実施例による組合せディスペンサーの正面図である。
【図５】一実施例による組合せディスペンサーの斜視図である。
【図６】さらに別の代替的典型実施例による組合せディスペンサーの斜視図である。
【図７】別の典型実施例による、増設ディスペンサーで増設フレームコンポーネントを組み入れ支持するように構成された増設構造を備えたフレームを含む組合せディスペンサーの斜視図である。
【図１】
2009501613.tif 000003
【図２】
2009501613.tif 000004
【図３】
2009501613.tif 000005
【図４】
2009501613.tif 000006
【図５】
2009501613.tif 000007
【図６】
2009501613.tif 000008
【図７】
2009501613.tif 000009
【国際調査報告】
2009501613.tif 000010
2009501613.tif 000011